(57)【特許請求の範囲】
【請求項１】
発光領域を含む有機ＥＬ発光パネル、及び表示物を含む有機ＥＬ発光表示板であって、
該発光領域は、その消灯時に鏡面として観察される発光領域側鏡面を有し、
該表示物は、該発光領域側鏡面と対向する鏡面を、表示物裏面側鏡面として、その裏面側に有し、
さらに、該発光領域側鏡面と、該表示物裏面側鏡面との間に、厚みが１ｍｍ以上であって、かつ、平面視該表示物を含む、透明媒体を含む、有機ＥＬ発光表示板。
【請求項２】
前記透明媒体が、平面視、前記発光領域全面を含み、かつ、透明樹脂板、又は、透明ガラス板を含む、請求項１に記載の有機ＥＬ発光表示板。
【請求項３】
前記表示物が、その表面側から裏面側に向かって、本体、鏡面部材、及び透明接着部材を含み、
該鏡面部材が、前記透明媒体、及び該透明接着部材を介して、前記表示物裏面側鏡面として観察される、請求項１、又は２に記載の有機ＥＬ発光表示板。
【請求項４】
前記表示物が、その厚みが１ｃｍ以下の平板である、請求項１〜３のいずれかに記載の有機ＥＬ発光表示板。
【請求項５】
請求項１〜４のいずれかに記載の有機ＥＬ発光表示板の製造方法であって、順に、
前記発光領域に対応する前記透明媒体の前記表示物載置面に、各々シート状の前記本体となる本体部材、前記鏡面部材、及び前記透明接着部材の積層シートを載置し、接着するシート接着工程、及び、
該積層シートから、前記本体、及びこれに対応する前記鏡面部材、及び前記透明接着部材以外である、不要積層シートを取り除くシート取り除き工程、を含む有機ＥＬ発光表示板の製造方法。
【発明の詳細な説明】
【技術分野】
【０００１】
本発明は、有機ＥＬ発光表示板に関し、特に、有機ＥＬ発光パネルの特性を生かした意匠性に優れる表示板に関する。
【背景技術】
【０００２】
近年、白熱灯や蛍光灯に代わる発光装置として有機ＥＬ発光パネルが注目され、多くの研究がなされている。ここで、有機ＥＬ発光パネルは、薄く且つ面状に発光する有機ＥＬ発光素子を含み、この素子の発光部分に対応する発光領域を含む発光面を有するパネルである。また、一般に、有機ＥＬ発光素子は、基材となるガラス基板や透明樹脂フィルム／金属シート等の基板上に形成され、一方又は双方が透光性を有し対向する電極と、その電極間に挟持された機能層とを含む。ここで、機能層は、有機化合物を含み、かつ、発光層を含む、一般には薄膜の、多層膜である。このような有機ＥＬ発光素子は、前記基板上において、一般には、凹状窪みが形成された封止ガラスキャップや、この有機ＥＬ発光素子上に製膜したＳｉＯ２、ＳｉＮなどの無機絶縁膜、又は有機絶縁膜などからなる封止膜で封止される。このようにして有機ＥＬ発光パネルは作製される。前記電極間に電力を与えると、有機ＥＬ発光素子の中で電気的に励起された電子と正孔とが再結合し、前記発光部分は発光し、対応して前記発光領域から拡散光が出射される。このようにして、薄くて軽く面状に発光する有機ＥＬ発光パネルが得られることになる。
【０００３】
一方近年、ＬＥＤ光源の一般化に対応して、立体表示可能な光源込みの表示器具の開発が進んでいる。例えば、特許文献１は、表示面に光を透過する表板（透明樹脂平板にハーフミラーフィルムを施工）を持ち、裏板（平板に反射物質膜を施工）との中間に文字や図形を形成した表示パネルを配置する形で構成され、表示パネルには、表示したいパターンそのもの、又はそのパターンをくりぬき加工した物を用い、ＬＥＤ又はＥＬ素子光源が表示パネルの端面に配置された、立体的な表示が可能な表示器具を開示している。
【先行技術文献】
【特許文献】
【０００４】
【特許文献１】特開２０１２−１８９９６９号公報
【発明の概要】
【発明が解決しようとする課題】
【０００５】
ところが、特許文献１では、表示パネルの端面にＬＥＤ又はＥＬ素子光源を配置する必要があり、その設計や製造には煩雑な作業が必要であり、また、表示したいパターンを実際に立体的に作成する必要があり、さらに、表示パネルの観察者からは直接的に光源からの光が観察されないので表示の鮮やかさに劣る可能性があるといった課題がある。
【０００６】
本発明はこのような先行技術の問題点に鑑み為されたものであり、有機ＥＬ発光領域が鏡面となる特性、及び、有機ＥＬ発光が拡散光であることを利用することで、簡単な構成で、観察者に表示物が鮮やか、かつ、浮かび上がった印象で観察される意匠性に優れた表示板を提供するものである。
【０００７】
また、本明細書は、別な有機ＥＬ発光表示板の発明として、これに含まれる有機ＥＬ発光素子の発光により、後述する表示物に係る形態が観察者に認識され、その非発光時には認識されない表示板についての、別な発明の記載を含む。
【課題を解決するための手段】
【０００８】
本発明者らは上記課題に鑑み鋭意検討した結果、柔らかい拡散光の照射に特徴がある有機ＥＬ発光パネルを用いることで、特許文献１の前述の全課題が解決可能であることを見出し、種々検討することにより、本発明を完成するに至った。
【０００９】
即ち、本発明は、発光領域を含む有機ＥＬ発光パネル、及び表示物を含む有機ＥＬ発光表示板であって、該発光領域は、その消灯時に鏡面として観察される発光領域側鏡面を有し、該表示物は、該発光領域側鏡面と対向する鏡面を、表示物裏面側鏡面として、その裏面側に有し、さらに、該発光領域側鏡面と、該表示物裏面側鏡面との間に、厚みが１ｍｍ以上であって、かつ、平面視該表示物を含む、透明媒体を含む、有機ＥＬ発光表示板に関する。本発明においては、表示物に対応する発光領域内の表示物対応領域の輝度がその周囲より明るくなると共に、その表示物対応領域が表示物を介して観察されるので、表示物が浮かび上がった印象を与えることが可能な優れた意匠を有する有機ＥＬ発光表示板を提供することができる。即ち、このような本発明の有機ＥＬ発光表示板においては、表示物対応領域に出射光と反射光を閉じ込める対向鏡面状態を形成せしめることができ、この作用により本発明に係る前述の表示物浮揚印象付与効果が得られることとなり、奥行き感のある見せ方が可能となる。
【００１０】
また、前記透明媒体は、平面視、前記発光領域全面を含み、かつ、透明樹脂板、又は、透明ガラス板を含むことが好ましく、本発明の有機ＥＬ発光表示板の一体性が確保されると共に、有機ＥＬ発光パネルを破損の発生等から保護することができる。
【００１１】
また、前記表示物は、その表面側から裏面側に向かって、本体、鏡面部材、及び透明接着部材を含み、該鏡面部材が、前記透明媒体、及び該透明接着部材を介して、前記表示物裏面側鏡面として観察されることが好ましく、表示物を簡単に接着可能である。
【００１２】
また、前記表示物は、その厚みが１ｃｍ以下の平板であることが好ましく、表面に突出する凸部が無いにも関わらず立体的な表示が可能となると共に、薄い表示板の実現に繋がる。
【００１３】
さらに、本発明は、有機ＥＬ発光表示板の製造方法であって、順に、前記発光領域に対応する前記透明媒体の前記表示物載置面に、各々シート状の前記本体となる本体部材、前記鏡面部材、及び前記透明接着部材の積層シートを載置し、接着するシート接着工程、及び、該積層シートから、前記本体、及びこれに対応する前記鏡面部材、及び前記透明接着部材以外である、不要積層シートを取り除くシート取り除き工程、を含む有機ＥＬ発光表示板の製造方法に関し、簡単な方法で安価に本発明の有機ＥＬ発光表示板を作成できる。
【００１４】
また、別な発明は、発光領域を含む有機ＥＬ発光パネル、表示物、及び光散乱表面部材を含む有機ＥＬ発光表示板であって、該発光領域は、その消灯時に鏡面として観察される発光領域側鏡面を有し、該表示物は、該発光領域と該光散乱表面部材との間に配され不透明であり、さらに、該光散乱表面透光性部材は、外部からの入射光を散乱する機能を有し、かつ、該消灯時に表示物に係る形態を外部に認識せしめず、点灯時に表示物に係る形態を外部に認識せしめる、有機ＥＬ発光表示板に関する。
【００１５】
この別発明においては、発光領域側から、光を通さない材料で不透明な表示物であって、その形態が点灯時に観察者に認識せしめられる表示物、例えば文字や絵等のデザイン、が配置されており、次に、光を通し、かつ、消灯時には、前記形態、即ち前述の文字や絵を外部に認識せしめない、光散乱表面透光性部材であって、外部からの入射光を散乱する機能を有する光散乱表面透光性部材が配置されている。
【００１６】
消灯時には、光散乱表面透光性部材は、ただの平面の板として、例えば、無色の光散乱表面透光性部材であれば白色に、観察され、点灯時は、文字や絵が影絵のように表示される表示板となる。このような表示板とワイヤレス給電技術を組み合わせることにより、薄型軽量の照明器具に対し、点灯時の驚きと感動を与えることができる。
【００１７】
また、表示パターンを作る際、ディスプレイのように、プログラム等を操作する必要がなく、その場で簡単に加工し、作成することも可能となる。たとえば、子供が書いた絵を用いることも可能である。
【００１８】
前記光散乱表面透光性部材は、その存在により外部への光照射量が増大する機能を有することが好ましく、輝度の大きな表示板とすることができる。
【発明の効果】
【００１９】
本発明の有機ＥＬ発光表示板によれば、簡便な方法で作成可能な簡単な構成で、有機ＥＬ発光領域が、鏡面であることと拡散光を出射することを利用し、表示物が浮かび上がった印象を与える意匠性に優れる表示板を提供できる。
【図面の簡単な説明】
【００２０】
【図１】本発明の有機ＥＬ発光表示板１の一実施形態を示す断面図である。
【図２】点灯させた状態の実施例の有機ＥＬ発光表示板１の写真（斜視図）である。
【発明を実施するための形態】
【００２１】
以下、本発明の実施形態について図１を参照しながら説明する。
【００２２】
（有機ＥＬ発光表示板１）
図１は、本発明の有機ＥＬ発光表示板１の一実施形態を示す断面図である。
【００２３】
図１に示すように、本発明の有機ＥＬ発光表示板１は、表示物３０、及び有機ＥＬ発光パネル１０を含む。有機ＥＬ発光パネル１０は、その発光面に発光領域１２を含み、前記表示物３０は、前記発光面側に配置され、前記発光面と共に、文字、図形、記号、及び立体的形状からなる群から選ばれる１種以上を、発光面側の観察者に観察せしめる機能を有する。
【００２４】
本発明の有機ＥＬ発光表示板１の、前記観察者側からみた外形は、三角形、正方形を含む矩形、その他の多角形や、真円を含む楕円とすることができるが、その発光領域１２に比しコンパクトならしめる観点から、その外形は、発光領域１２の外形と相似形であることが好ましい。また、その外形中の発光領域１２の面積比率は、大きな表示物３０にも適用可能とする観点から好ましくは１０％以上、１００％以下、より好ましくは３０％以上、９５％以下、さらに好ましくは５０％以上、特に好ましい７０％以上である。さらに、平面視、前記外形中において発光領域１２を連続する一領域とすることもできるが、複数の領域としたり、非発光領域を含む環状の発光領域１２としたりできる。
【００２５】
本発明の有機ＥＬ発光表示板１の厚みとしては、前記有機ＥＬ発光パネル１０の薄さ軽さの特徴を活かしつつ、本発明の効果である表示物浮揚印象付与効果を十分に奏さしめる観点から、前記外形の最大長さ以下であることが好ましく、より好ましくは３ｍｍ以上、３００ｍｍ以下、さらに好ましくは５ｍｍ以上、１５０ｍｍ以下、特に好ましくは５０ｍｍ以下である。
【００２６】
また、別発明の有機ＥＬ発光表示板１も同様に、表示物３０、及び有機ＥＬ発光パネル１０を含む。別発明の有機ＥＬ発光パネル１０は、その発光面に発光領域１２を含み、前記表示物３０は、前記発光面側に配置され、文字、図形、及び記号からなる群から選ばれる１種以上を、発光面側の観察者に観察せしめる機能を有する。
【００２７】
別発明の有機ＥＬ発光表示板１の前記観察者側からみた外形も、本発明と同様であり、さらに、平面視、前記外形中において発光領域１２を連続する一領域とすることもできるが、複数の領域としたり、非発光領域を含む環状の発光領域１２としたりできる。
【００２８】
別発明の有機ＥＬ発光表示板１の厚みとしては、前記有機ＥＬ発光パネル１０の薄さ軽さの特徴を活かしつつ、本発明の効果である表示物浮揚印象付与効果を十分に奏さしめる観点から、好ましくは０．２ｍｍ以上、１０ｍｍ以下、より好ましくは０．５ｍｍ以上、５ｍｍ以下である。
【００２９】
（表示物３０）
本発明に係る表示物３０は、発光面と共に、前述の観察者に観察せしめられる、文字、図形、記号、及び立体的形状からなる群から選ばれる１種以上である形態を、実際に構成する本体３１を含み、この本体３１は、当該表示物３０の、観察者側の表面側３１１と、その反対側の裏面側３２１との間に存在する。
【００３０】
本発明に係る表示物３０特徴の一つとして、さらに、その前記裏面側３２１に、後述する発光領域側鏡面１２２と対向する鏡面として、表示物裏面側鏡面３２２を含む。これら鏡面の間に、本発明に係る発光領域１２から出射される、本発明に係る有機ＥＬ発光素子１１に特徴的な拡散光が、閉じ込められることで、本発明の効果である表示物浮揚印象付与効果が奏させることとなる。
【００３１】
前記表示物裏面側鏡面３２２は、前記本体３１を、金属光沢を有する材料、例えばアルミ箔、として形成してもよいが、好ましくは、前記本体３１とは異なる鏡面部材３２を、本体３１の裏面側に配することで形成することが好ましく、表示物裏面側鏡面３２２の安価形成が可能となると共に、本体３１として美しく鮮やか色彩、例えば、金色やピンク色、パープル、エメラルドグリーン等の原色、を有する材料を用いることで本発明の有機ＥＬ発光表示板１の意匠性をより一層高めることができる。
【００３２】
このように、前記表面側３１１から前記裏面側３２１に向かって、本発明に係る表示物３０は、本体３１を含み、好ましくは鏡面部材３２を含む。さらに、透明接着部材３３を含むことが好ましく、後述する本発明に係る透明媒体２０として、透明材料からなる部材を用いた場合に、簡便に本発明に係る表示物３０を、本発明の有機ＥＬ発光表示板１に配置することが可能となる。このような、本体３１、鏡面部材３２、透明接着部材３３は、本発明に係る表示物浮揚印象付与効果を効果的に奏さしめる観点から、本発明に係る前記観察者からの平面視、本体３１は、鏡面部材３２に含まれることが好ましく、より好ましくは、鏡面部材３２と同一の領域に配されることであり、鏡面部材３２は、透明接着部材３３を含むことが好ましく、より好ましくは、透明接着部材３３と同一の領域に配されることである。
【００３３】
前記鏡面部材３２は、本発明に係る表示物３０の前記裏面側３２１から表示物裏面側鏡面３２２として観察される部材であり、又は、本発明に係る発光領域１２側から仮想的に観察したとして、後述する透明媒体２０、及び透明接着部材３３を介して表示物裏面側鏡面３２２として観察される部材であり、その材料としては、光の反射性に優れる金属光沢を有する材料を用いることができる。より広い波長の光を反射せしめることで、本発明に係る表示物浮揚印象付与効果を十分に発揮できるようにする観点から、白色金属光沢を有する金属が好ましく、その中でも簡便に入手可能なアルミニウム、及び銀から選ばれる１種以上であることがより好ましく、さらに安価なアルミニウムが好ましく、厚みは１ｍｍ以下、５μｍ以上が好ましく、０．５ｍｍ以下、１０μｍ以上がより好ましく、０．２５ｍｍ以下、２０μｍ以上がさらに好ましい。
【００３４】
本発明に係る表示物３０は、その厚みとしては、前記有機ＥＬ発光パネル１０の薄さ軽さの特徴を活かしつつ、本発明の効果である表示物浮揚印象付与効果を十分に奏さしめる観点から、好ましくは０．０１ｍｍ以上、５０ｍｍ以下、さらに好ましくは０．０５ｍｍ以上、２０ｍｍ以下、特に好ましくは１０ｍｍ以下であり、好ましくは、前記本体３１、前記鏡面部材３２、及び前記透明接着部材３３を含む厚みが１ｃｍ以下の平板である積層シート３４である。
【００３５】
このような表示物３０となっている積層シート３４は、各々シート状の本体部材３１、鏡面部材３２、及び透明接着部材３３からなる積層シート３４から、本体３１、及びこれに対応する鏡面部材、及び透明接着部材３４１以外である不要積層シート３４２を取り除いたものとすることができる。
【００３６】
このように、表示物３０として、積層シート３４から前記不要積層シート３４２を取り除いたものを用いることで、本発明の有機ＥＬ発光表示板１を、簡便に作成することができる。
【００３７】
このような積層シート３４を用いた本発明の有機ＥＬ発光表示板１の製造方法としては、積層シート３４を載置し、接着するシート接着工程、及び積層シート３４から不要積層シート３４２を取り除くシート取り除き工程を含む製造方法とすることが好ましく、簡便に本発明の有機ＥＬ発光表示板１を作成することができると共に、接着後に不要積層シート３４２を取り除くことで、複雑な形態であっても実際に表示しながら調整することも可能な意匠性に優れる形態を表示可能な表示板１となる。
【００３８】
また、別発明に係る表示物３０は、少なくとも発光面からの光を一定以上遮る本体３１を含み、この本体３１は、当該表示物３０の、観察者側の表面側３１１と、その反対側の裏面側３２１との間に存在する。この別発明に係る本体３１は、消灯時において、観察者からその存在が認識されないように、その表面側３１１は白色であることが好ましい。別発明に係る本体３１としては、紙が好ましい。
【００３９】
別発明に係る表示物３０は、さらに、その前記裏面側３２１に、前記本体３１とは異なる遮光部材３２を、本体３１の裏面側に配することで形成されていることが好ましく、点灯時に完全に発光領域１２からの光を遮ることが可能となるので、鮮やかに表示できるので、別発明の有機ＥＬ発光表示板１の意匠性をより一層高めることができる。別発明に係る遮光部材３２としては、アルミニウム箔が好ましい。
【００４０】
このように、前記表面側３１１から前記裏面側３２１に向かって、別発明に係る表示物３０は、本体３１を含み、好ましくは遮蔽部材３２を含む。さらに、接着部材３３を含むことが好ましく、簡便に別発明に係る表示物３０を、別本発明の有機ＥＬ発光表示板１に配置することが可能となる。
【００４１】
別発明に係る表示物３０は、その厚みとしては、本発明に係る表示物３０と同様である。
【００４２】
このような表示物３０となっている積層シート３４は、各々シート状の本体部材３１、遮蔽部材３２、及び接着部材３３からなる積層シート３４から、本体３１、及びこれに対応する遮蔽部材、及び接着部材３４１以外である不要積層シート３４２を取り除いたものとすることができる。
【００４３】
このように、表示物３０として、積層シート３４から前記不要積層シート３４２を取り除いたものを用いることで、別発明の有機ＥＬ発光表示板１を、簡便に作成することができる。
【００４４】
このような積層シート３４を用いた別発明の有機ＥＬ発光表示板１の製造方法としては、本発明の有機ＥＬ発光表示板１の製造方法と同様とすることができる。
【００４５】
（透明媒体２０）
本発明に係る透明媒体２０は、後述する発光領域側鏡面１２２と表示物裏面側鏡面３２２との間に配され、前記発光領域１２に対応し、表示物３０と接する表示物載置面２０２を含み、本発明の表示物浮揚印象付与効果に係る浮き上がり厚みとなる機能を有する部分であり、透明であれば空気層を含んでいても良く、本発明の前記効果を十分に発揮せしめる観点から、その厚みが１ｍｍ以上である。
【００４６】
前記透明媒体２０の厚みとしては、前述の如く１ｍｍ以上であることを要するが、本発明の表示物浮揚印象付与効果を十分に発揮せしめつつ、前記有機ＥＬ発光パネル１０の薄さ軽さの特徴を活かす観点から、好ましくは２ｍｍ以上、１００ｍｍ以下、さらに好ましくは５ｍｍ以上、５０ｍｍ以下、特に好ましくは２０ｍｍ以下である。
【００４７】
前記透明媒体２０は、本発明に係る有機ＥＬ発光パネル１０として、その好ましい実施態様である透明基板上に本発明に係る有機ＥＬ発光素子１１を形成し当該透明基板側表面に発光領域１２を含むようにした、ボトムエミッション型有機ＥＬ発光パネル１０を用いた場合には、少なくとも前記発光領域１２に対応する当該透明基板を含み、また、本発明に係る表示物３０が、その好ましい実施態様として透明接着部材３３を含む場合には、当該透明接着部材３３も含み、より好ましくは、透明樹脂板、又は、透明ガラス板を含み、このように透明板を含ませることで、本発明に係る有機ＥＬ発光表示板１を一体的部材、例えば表札等の具体的な部材、として作成することができ、また、前記表示物載置面２０２を、これら透明板の片面とすることで、上述の本発明の有機ＥＬ発光表示板１の製造方法が適用可能となる。
【００４８】
前記透明樹脂板の樹脂としては、アクリル樹脂、ＰＥＴ樹脂、ポリカーボネート樹脂、及びＰＶＣ樹脂から選ばれる１種以上を挙げることができるが、光学特性、耐候性、耐薬品性の観点からアクリル樹脂がより好ましい。
【００４９】
前記観察者から観察した場合に、表示物３０を取り囲んで前記透明媒体２０を存在せしめることで、表示物周囲の見え方を一様とする必要があり、前記透明媒体２０は、平面視、表示物３０を含むことを要し、より好ましくは、平面視、発光領域１２全面を含む。
【００５０】
（有機ＥＬ発光パネル１０）
本発明に係る有機ＥＬ発光パネル１０は、有機ＥＬ発光素子１１を含む板状の部材であり、本発明の特徴の一つは、その一主面である発光面に、前記有機ＥＬ発光素子１１の消灯時に前記発光面側から鏡面として観察される、発光領域側鏡面１２２を、前記有機ＥＬ発光素子１１に対応する発光領域１２として有することである。
【００５１】
前記観察者から観察した場合に、本発明に係る表示物浮揚印象付与効果と同時に、表示物３０を取り囲んで発光領域１２が存在することで、表示物が発光領域１２中で目立つ印象を与える表示物際立ち印象付与効果を奏さしめるために、前記発光領域１２は、平面視、表示物３０を含むことが好ましい。
【００５２】
また、本発明に係る有機ＥＬ発光パネル１０としては、発光特性、及び信頼性に優れ安価なパネルが得易い、上述のボトムエミッション型有機ＥＬ発光パネルが好ましい。
【００５３】
前記発光領域側鏡面１２２は、前記有機ＥＬ発光素子１１の後述する金属陰極層が、同様に後述する、機能層、透光導電性陽極層、及び透明絶縁基材を介して前記観察者側から観察されるものであることが好ましい。
【００５４】
本発明に係る有機ＥＬ発光パネル１０の外形は、好ましくは、本発明の有機ＥＬ発光表示板１の外形とほぼ同一とされる。また、本発明に係る有機ＥＬ発光パネル１０の厚みとしては、薄く軽い有機ＥＬ発光表示板１とするため、好ましくは０．０５ｍｍ以上、５ｍｍ以下、より好ましくは０．２ｍｍ以上、３ｍｍ以下、さらに好ましくは０．５ｍｍ以上、１ｍｍ以下とされる。
【００５５】
前記有機ＥＬ発光素子１１は、好ましくは、本発明に係る有機ＥＬ発光パネル１０の本体である、透明絶縁基材上に、好ましくは、透明性および絶縁性に優れるガラス基板上に、前記物品側から順に、透光導電性陽極層、有機化合物を含有する発光層を含む、複数の薄膜が積層されたものである機能層、及び金属陰極層を形成したものである。好ましくは、このようにして形成した有機ＥＬ発光素子１１は、素子への水分の浸入を防止するために、封止される。
【００５６】
別発明に係る有機ＥＬ発光パネル１０は、本発明に係る有機ＥＬ発光パネル１０と同様とすることができる。その発光面に、本発明に係るような発光領域側鏡面１２２が形成されている必要は必ずしもないが、後述する光散乱表面透光性部材４０を、後述する、その存在により外部への光照射量が増大する、例えば、ＯＣＦフィルムとする場合には、その増大のために、発光領域側鏡面１２２が形成されていることを要する。
【００５７】
（光散乱表面透光性部材４０）
別発明に係る光散乱表面透光性部材４０は、前記観察者と前記表示物３０との間、即ち、前記表示物３０の上に、好ましくは接して、配される部材であり、外部からの入射光を散乱し、消灯時に、表示物に係る形態を外部に認識せしめない機能を有し、白色シート等を用いることができるが、好ましくは、ＯＣＦフィルム（Ｏｕｔ−Ｃｏｕｐｌｉｎｇ  Ｆｉｌｍ）である。
【実施例】
【００５８】
以下、本発明の具体的な実施例について説明する。
【００５９】
（実施例）
透明導電性金属酸化物膜ＩＴＯが製膜された０．７ｍｍ厚みのガラス基板を用い、以下の手順で本発明に係る有機ＥＬ発光パネル１０を作製し、これに、本発明に係る、透明媒体２０の一部である透明樹脂板、及び表示物３０を取り付けることで、本発明の有機ＥＬ発光表示板１を製造した。作製した有機ＥＬ発光パネル１０は、その外形と同一となるガラス外形が９０ｍｍ×９０ｍｍであり、その発光領域１２が８０ｍｍ×８０ｍｍである。
【００６０】
最初に、前記ガラス基板上に、透明導電性陽極層をウェットエッチング法にてパターニングすることで形成することで有機ＥＬ発光素子形成用基板を準備した。
【００６１】
次に、この有機ＥＬ発光素子形成用基板の上に、機能層として、順に正孔注入層、正孔輸送層、発光層、電子輸送層、及び電子注入層を所定のマスクを用いて真空蒸着法で積層し、その上にアルミニウムからなる金属陰極層を所定のマスクを用いて真空蒸着法で積層して有機ＥＬ発光素子１１を形成した。
【００６２】
次に、この有機ＥＬ発光素子１１上に、所定のマスクを用いＣＶＤ法でシリコン窒化膜を製膜し、続いてポリシラザンをスプレー法にて塗布し焼成して封止層を形成することで封止した。
【００６３】
次に、この封止された有機ＥＬ発光素子１１上に、粘着材付きＰＥＴからなる保護フィルムを貼り付け、有機ＥＬ発光パネル１０を作製した。
【００６４】
次に、この有機ＥＬ発光パネル１０の発光面であるガラス基板上に、透明樹脂板であって、平面視有機ＥＬ発光パネル１０の全面を覆う厚み５ｍｍのアクリル板を透明接着剤で貼り付けた。
【００６５】
最後に、この透明樹脂板であるアクリル板の、前記有機ＥＬ発光パネル１０とは反対側の面である表示物載置面２０２の平面視、発光領域１２全面と同一の領域に、積層シート３４として、本体部材３１（厚み５０μｍｔの透明のＰＶＣフィルム）、鏡面部材３２（厚み０.５μｍｔのアルミニウム箔）、及び透明接着部材３３（厚み３０μｍｔのアクリル系接着層）が積層されたものを、表示物載置面２０２に当該透明接着部材３３が接するように載置し、接着した後、ロゴとなるように、カッターで積層シート３４と不要積層シート３４２とを分離し、当該不要積層シート３４２を、表示物載置面２０２から取り除き、ロゴを残した。
【００６６】
この本発明に係る有機ＥＬ発光表示板１の有機ＥＬ発光パネル１０中の有機ＥＬ発光素子１１の各電極層に直流電流が流れるように外部電源を接続したところ、ロゴの周囲の発光領域１２が発光しつつ、非発光のロゴが、発光領域１２で際立って、かつ、発光領域１２に残影を残した状態で、浮き上がって観察された。また、消灯時において、遠目から観察して、ロゴ部分を含み、発光領域１２の全面が金属光沢表面として観察された。
【００６７】
図２に、このようにして作成し、点灯させた実施例の有機ＥＬ発光表示板１の写真（斜視図）を示す。
【符号の説明】
【００６８】
１      有機ＥＬ発光表示板
１０    有機ＥＬ発光パネル
１１    有機ＥＬ発光素子
１２    発光領域
１２２  発光領域側鏡面
２０    透明媒体
２０２  表示物載置面
３      内部構成部品
３０    表示物
３１    本体（本体部材）
３１１  表面側
３２    鏡面部材
３２１  裏面側
３２２  表示物裏面側鏡面
３３    透明接着部材
３４    積層シート
３４１  本体、及びこれに対応する鏡面部材、及び透明接着部材
３４２  不要積層シート
【図１】
0006495739.tif 000002
【図２】
0006495739.tif 000003